(57)【要約】【課題】汎用の脚立を利用して、重量物でも持ち上げることが可能なリフターを提供することを課題とする。【解決手段】脚立Ｓと、前記脚立Ｓの一方のはしごに固定され、当該はしごに沿って上方に延びるレール１０であって、上端側に滑車１５ａが設けられ、当該はしごに着脱可能に形成されるレール１０と、前記レール１０に沿って移動可能に前記レール１０に固定され、所定の運搬物を保持する構造２３を有する昇降台２０と、前記脚立Ｓの他方のはしごに固定されるウインチ３０であって、前記はしごに着脱可能に形成されるウインチ３０と、前記昇降台２０に一端側が固定され、前記レール１０の滑車１５ａを介して前記ウインチＳに他端側が巻き取られるワイヤーＷとからリフターＸを形成する。【選択図】  図１
2010236175.tif 000002
【特許請求の範囲】
【請求項１】
脚立と、
前記脚立の一方のはしごに固定され、当該はしごに沿って上方に延びるレールであって、上端側に滑車が設けられ、当該はしごに着脱可能に形成されるレールと、
前記レールに沿って移動可能に前記レールに固定され、所定の運搬物を保持する構造を有する昇降台と、
前記脚立の他方のはしごに固定されるウインチであって、前記はしごに着脱可能に形成されるウインチと、
前記昇降台に一端側が固定され、前記レールの滑車を介して前記ウインチに他端側が巻き取られるワイヤーと
を有する脚立を利用したリフター。
【請求項２】
前記レールは、１以上のフック部材により前記はしごの各段を構成する少なくとも１本の横木に引っ掛けて固定するものであって、前記フック部材を引っ掛ける横木を変えることで、前記一方のはしごへの取り付け高さを変更できるものである
請求項１に記載の脚立を利用したリフター。
【請求項３】
前記ウインチは、１以上の固定部材により前記はしごの各段を構成する少なくとも１本の横木に固定するものであって、前記フック部材を引っ掛ける横木を変えることで、前記一方のはしごへの取り付け高さを変更できるものである
請求項１又は２に記載の脚立を利用したリフター。
【請求項４】
前記レール部材の上端近傍に上端側が固定され、前記ウインチに下端側が固定される棒材からなる、前記レール部材および前記ウインチに着脱可能に形成される補強部材を有する請求項１から３のいずれか１項に記載の脚立を利用したリフター。
【請求項５】
前記脚立のそれぞれの脚の下端に、着脱可能なキャスターが固定される請求項１から４のいずれか１項に記載の脚立を利用したリフター。
【請求項６】
請求項１から３のいずれか１項に記載のレールと昇降台とウインチとから構成される脚立を利用したリフターの組み立てセット。
【請求項７】
請求項４に記載の補強部材を、さらに含む請求項６に記載の脚立を利用したリフターの組み立てセット。
【請求項８】
請求項５に記載のキャスターを、さらに含む請求項６又は７に記載の脚立を利用したリフターの組み立てセット。
【発明の詳細な説明】
【技術分野】
【０００１】
本発明は一般的な脚立を利用して構成される、荷物などを高い位置に持ち上げるためのリフターに関する。
【背景技術】
【０００２】
荷物などを高い位置に運搬するためにリフターが用いられる。これらは通常専用品であり、重量も重く、フレームも大きいため、異なる作業現場に一人で運搬することは容易ではなかった。
これに対して、下記特許文献１には、脚立を利用して形成されるリフターが示されている。このように、脚立を利用することで、簡易に折りたたんで、一人でも容易に運搬することができる。
【先行技術文献】
【特許文献】
【０００３】
【特許文献１】特開２００３−３２１９８７号公報
【発明の概要】
【発明が解決しようとする課題】
【０００４】
ところで、上記特許文献１に記載の発明は、荷物の昇降に関して荷物の重さを軽くする仕組みがなく、人が直接荷物を持ち上げる必要があるため、重量物を持ち上げることができない。また、脚立を利用したものであるが、専用品であるため、作業先に脚立がある場合でも、別途、全体を運搬する必要がある。
本発明は、以上のような問題に鑑み、汎用の脚立を利用して、重量物でも持ち上げることが可能なリフターを提供することを課題とする。
【課題を解決するための手段】
【０００５】
上記課題を解決するために、本発明は次のような構成を有する。
請求項１に記載の発明は、脚立と、前記脚立の一方のはしごに固定され、当該はしごに沿って上方に延びるレールであって、上端側に滑車が設けられ、当該はしごに着脱可能に形成されるレールと、前記レールに沿って移動可能に前記レールに固定され、所定の運搬物を保持する構造を有する昇降台と、前記脚立の他方のはしごに固定されるウインチであって、前記はしごに着脱可能に形成されるウインチと、前記昇降台に一端側が固定され、前記レールの滑車を介して前記ウインチに他端側が巻き取られるワイヤーとを有する脚立を利用したリフターである。なお、ウインチは運搬の負荷を考慮すると手動ウインチを用いることが望ましいが、電動ウインチを用いることも可能である。
請求項２に記載の発明は、前記リフターにおいて、前記レールは、１以上の固定部材により前記はしごの各段を構成する少なくとも１本の横木に固定するものであって、前記フック部材を引っ掛ける横木を変えることで、前記一方のはしごへの取り付け高さを変更できるものである。
請求項３に記載の発明は、前記リフターにおいて、前記ウインチは、１以上のフック部材により前記はしごの各段を構成する少なくとも１本の横木に引っ掛けて固定するものであって、前記フック部材を引っ掛ける横木を変えることで、前記一方のはしごへの取り付け高さを変更できるものである。
請求項４に記載の発明は、前記リフターにおいて、前記レール部材の上端近傍に上端側が固定され、前記ウインチに下端側が固定される棒材からなる、前記レール部材および前記ウインチに着脱可能に形成される補強部材を有するものである。
請求項５に記載の発明は、前記リフターにおいて、前記脚立のそれぞれの脚の下端に、着脱可能なキャスターが固定されるものである。
請求項６に記載の発明は、請求項１から３のいずれか１項に記載のレールと昇降台とウインチとから構成される脚立を利用したリフターの組み立てセットである。
請求項７に記載の発明は、前記リフターの組み立てセットにおいて、請求項４に記載の補強部材を加えたものである。
請求項８に記載の発明は、前記リフターの組み立てセットにおいて、請求項５に記載のキャスターを加えたものである。
【発明の効果】
【０００６】
請求項１に記載の発明は、汎用の脚立に着脱自在に取り付けるレール、昇降台、ウインチ、ワイヤーとから構成されるので、運搬時には、脚立からこれらを取り外して、分解して運搬することができ、また、作業場所に汎用の脚立があれば、その脚立を利用して組み立てることができるので、運搬が容易であり、また、ウインチを利用するので、重量物でも比較的簡単に持ち上げることができる。
請求項２に記載の発明は、レールを取り付けるはしごの横木の位置を変えることでレールの最高点の高さを調節できるので、昇降台を持ち上げる高さを柔軟に調節することができる。
請求項３に記載の発明は、ウインチを取り付けるはしごの横木の位置を変えることでウインチの位置を調節できるので、作業しやすい高さにウインチの取り付け位置を調整することができる。
請求項４に記載の発明は、レールの上端近傍と、ウインチとの間を棒材からなる補強部材で連結することで、レールが下方側へ撓まないように支持できるので、リフターとしての安全性を高めることができる。
請求項５に記載の発明は、脚立の脚の下端にキャスターを固定することで、作業現場で必要に応じてリフターを簡易に移動させることができる。
請求項６に記載の発明は、汎用の脚立があれば、請求項１から３のいずれかに記載のリフターを組み立てることができる。
請求項７に記載の発明は、汎用の脚立があれば、請求項４に記載のリフターを組み立てることができる。
請求項８に記載の発明は、汎用の脚立があれば、請求項５に記載のリフターを組み立てることができる。
【図面の簡単な説明】
【０００７】
【図１】実施形態に係る脚立を利用したリフターＸを示す側面図である。
【図２】（ａ）は、実施形態に係るレールの斜視図であり、（ｂ）は固定部材の斜視図である。
【図３】実施形態に係る昇降台の斜視図である。
【図４】実施形態に係るウインチの斜視図である。
【図５】実施形態に係る補強部材の斜視図である。
【図６】実施形態に係るキャスターユニットの斜視図である。
【図７】昇降台のベアリングローラー部分における横断面図である。
【図８】実施形態に係る脚立を利用したリフターＸの他の使用態様を示す側面図である。
【図９】実施形態に係るアウトリガーの斜視図である。
【発明を実施するための形態】
【０００８】
以下、本発明の実施の形態について、図面を参照しながら説明する。
図１に本実施形態に係る脚立を利用したリフターＸの側面図を示す。リフターＸは脚立Ｓ、ワイヤーＷ、レール１０、昇降台２０、ウインチ３０、補強部材４０とから構成される。
【０００９】
図２（ａ）にレール１０の斜視図を示す。レール１０は、長尺の角パイプからなる２本の平行に設けられるレール本体１１が、各レール本体１１の下端間を連結する下桟１２、同様に上端間を連結する上桟１３とにより連結されている。また、各レール本体１１間は上端から下端にかけての適当な位置に、一般的な脚立のはしごの横木の間隔に一致するように、横桟１４が４本、各レール本体１１同士を連結するように平行に固定されている。さらに、上桟１３には滑車部１５が固定される。滑車部１５は、上桟１３と同じ長さでやや厚さの厚い角パイプからなる滑車台１５ｂと、上桟１３に平行な回転軸を有する、滑車台１５ｂに固定される滑車１５ａとにより構成される。そして、各横桟１４には脚立のはしごに固定するための係合部１６が設けられる。係合部１６は、横桟１４に立設固定される棒体からなる２本の脚部１６ａ、脚部１６ａの上端に横桟１４に平行かつ平らな面が上方になるように固定されるＬ字アングル１６ｂ、Ｌ字アングルの両端に固定される、下方側が開放された断面コの字状に形成されることで、脚立のはしごの横木に引っ掛かって係合するフック部材１６ｃとから構成される。また、上端側の滑車台１５ｂの下面には、係合部１６側にやや斜め下方に突出する角パイプからなる、補強部材係合部１７が設けられる。さらに、滑車台１５ｂの両端には二本の角パイプからなる側面支持脚１８が設けられる。なお、いくつかのフック部材１６ｃの係合を補強するために、図２（ｂ）に示すような、固定具１９を用い、両端でＬ字アングル１６ｂとはしごとを固定する。固定具１９はアングル１９ｂを緩やかに挟む程度の間隔で２本のボルトが立設された、ボルト板１９ａ、ボルト板１９ａの各ボルトに通る穴が設けられた押さえ板１９ｂ、各ボルトに係合する蝶ナット１９ｃとから構成される。このような構成により、横木に係合した状態のＬ字アングル１６ｂを横木と一緒にボルト板１９ａ、押さえ板１９ｂにより挟み、ボルトに蝶ネジ１９ｃを係合させることで、アングル１９ｂを横木に固定することができる。
【００１０】
図３に昇降台２０の斜視図を示す。昇降台２０は、２本の角パイプからなる縦部材と２本の角パイプからなる横部材とをロの字状に組み合わせた本体フレーム２１、本体フレーム２１の下面に、前記レール１０のレール本体１１がやや隙間を空けて挟まる程度の間隔を空けて、本体フレーム２１の２本の縦部材に対向するように固定される２本の角パイプからなる係合レール２２、本体フレーム２１の両側面に固定される、昇降する荷物を載せる、運搬物を保持する構成となるフォーク部２３、本体フレーム２１の上端側に固定されるアイボルト２４とを有する。また、本体フレーム２１と係合レール２２との間には、後述するレール本体１１を挟持するベアリングローラーが設けられる。このような構成により本体フレーム２１と係合レール２２との間に、レール１０のレール本体１１を嵌めいれることで、昇降台２０はレール１０の長手方向に移動可能に係合固定されることとなる。昇降台２０がレール本体１１に係合した状態のベアリングローラー部分における横断面図を図７に示す。図に示すように、１本のレール本体１１の上下面および外側面にはベアリングローラー２５が当接するようになっており、このベアリングローラー２５は昇降台２０の本体フレーム２１、係合レール２２、及びこれらに固定されるアングル２６部材に固定されている。このような３個のベアリングローラー２５を一組とするレール本体１１の挟持箇所が昇降台２０の前方側と後方側の左右それぞれに計４箇所設けられており、これにより、昇降台２０はレール本体１１をスムーズに上下動することができる。また、フォーク部２３は、本体フレーム２１の一箇所で固定しているボルトをはずすことで、本体フレーム２１に平行に重なるように折りたたむことができ、これにより昇降台２０はコンパクトに折りたたんで運搬することができる。
【００１１】
図４にウインチ３０の斜視図を示す。ウインチ３０は、２本の角パイプからなる長尺の縦部材と２本の角パイプからなる横部材とをロの字状に組み合わせたウインチフレーム３１、ウインチフレーム３１の裏面に４つ固定される固定される脚立のはしごに固定するための係合部３２、ウインチフレーム３１の表面に固定される台座３３ａに固定される手巻きウインチ３３とから構成される。ウインチフレーム３１の一方の縦部材の側面には、後述する補強部材４０を固定するために、ボルトが通る係止穴３１ａが設けられている。係合部３２は、一般的な脚立のはしごの横木の間隔に一致するように、平行に固定されている。各係合部３２は、ウインチフレーム３１の縦部材に立設固定される棒体からなる２本の脚部３２ａ、脚部３２ａの上端に固定されるはしごの横木に下方から係合する大きさを有する断面コの字状のアングル３２ｂとから構成される。なお、ウインチ３０においても、レール１０で用いた図２（ｂ）に示す固定具１９により、一以上のアングル３２ｂを脚立の横木に固定する。
【００１２】
図５にリフターＸに用いられる補強部材４０の斜視図を示す。補強部材４０は、長尺の角パイプにより構成され、一端側に所定間隔で複数の貫通孔４１が設けられている。
図６にリフターＸにオプションとして取り付けられるキャスターユニット５０の斜視図を示す。キャスターユニット５０は、脚立の脚の下端に係合できる形状を有するゴム製のキャップ５２と、キャップ５２の下面に固定されるキャスター５１とから構成される。キャスターユニット５０は必要に応じて脚立のそれぞれの脚に固定されることとなる。
【００１３】
以上のような構成を有するレール１０、昇降台２０、ウインチ３０、補強部材４０をはしごの横木の間隔がレール１０、ウインチ３０の係合部に合致する任意の脚立に取り付けることで、図１に示すリフターＸが形成される。図に示すように、レール１０は、脚立Ｓの一方のはしごのいくつか横木に、各係合部１６のそれぞれフック部材１６ｃを引っ掛けることで、脚立Ｓに固定される。ウインチ３０は、脚立Ｓの他方のはしごのいくつか横木に、各係合部３２のそれぞれアングル３２ｂを下方から当接させ、固定具３４によりアングル３２ｂを横木に固定することで、脚立Ｓに固定される。なお、ウインチ３０の手巻きウインチ３３には予め先端にリングキャッチが設けられたワイヤーＷを巻いておく。このワイヤーＷはレール１０の先端に設けられる滑車１５ａに掛けられる。昇降台２０は、レール１０に図７の断面図に示すようにベアリングローラー２５がレール１０のレール本体１１に係合するように嵌め固定し、また、ウインチ３０から伸ばしたワイヤーＷの先端のリングキャッチをアイボルト２４に固定することで、レール１０上にワイヤーＷにより吊り下げられた状態で固定される。補強部材４０は、貫通孔４１が設けられていない側の先端を、レール１０の補強部材係合部１７に挿入し、貫通孔４１の内、ウインチ３０のウインチフレーム３１に設けられる係止穴３１ａと重なるものを重ねて、ボルトを貫通させてナットで固定することで、レール１０とウインチ３０との間に固定される。さらに、リフターＸを頻繁に移動させる必要がある場合には、脚立Ｓの４つの脚にキャスターユニット５０のキャップ５２を被せてキャスターユニット５０を固定すればよい。
【００１４】
次に、以上のような構成を有するリフターＸの使用方法について説明する。まず、使用者は作業現場に脚立Ｓを立てる。なお、キャスターユニット５０を取り付ける場合は、この脚立Ｓの各脚に予め取り付けておく。次に、レール１０に昇降台２０を係合させ、ウインチ３０から伸ばしたワイヤーＷの先端のリングキャッチを昇降台２０のアイボルトに固定し、さらに、ワイヤーをレール１０先端の滑車１５ａに掛ける。この状態で、脚立Ｓの一方のはしごにレール１０を引っ掛けて固定する。この際、荷物等を持ち上げる高さに応じて、レール１０を引っ掛けるはしごの横木を適宜選択することで、レール１０の最高点の高さを調節する。次に、ウインチ３０を脚立Ｓの他方のはしごに固定する。この際、固定する横木を適宜選択することで、作業者が操作しやすい高さにウインチ３０を固定することができる。この状態で、ウインチ３０の手巻きウインチ３３を巻いてワイヤーＷが昇降台２０が滑車１５ａから釣り下がった状態になるようにする。さらに、補強部材４０の先端をレール１０上端の補強部材係合部１７に挿入し、補強部材４０の下端側の貫通孔４１をウインチ３０の係合穴３１ａにボルトとナットで固定し、レール１０が下方に撓まないように支持する。以上の作業により、リフターＸが組みあがる。その後、昇降台１０のフォーク２３に持ち上げる荷物等を載せ、手巻きウインチによりワイヤーＷを巻き取ることで昇降台１０を引き上げ、これにより荷物等を持ち上げることができる。
【００１５】
以上のように、本実施形態に係るリフターＸは、既存の脚立を利用してリフターを構成することができるので、低コストで製作することができ、また、各構成部分を分解して取り外すことができるので運搬しやすく、収納に際しても利便性が高い。また、多くの作業現場には脚立があるので、レール１０、昇降台２０、ウインチ３０、補強部材４０だけを持ち運んで現場でリフターＸを組み立てることができる。さらに、レールを取り付ける脚立のはしごの横木の位置を適宜選択することで、簡易に最高到達点の位置を調節することが可能である。
【００１６】
なお、リフターＸは、図１に示すように脚立Ｓを開いた状態で使用するが、壁際などにおいては、図８に示すように脚立Ｓを閉じて、レール１０の側面支持脚１８を壁に接触させるように立てかけて使用することも可能である。また、脚立Ｓを安定させるために、例えば、図９に示すような、アウトリガー６０を脚立Ｓの各脚に固定するようにしてもよい。アウトリガー６０は種々の構成のものを採用できるが、ここでは、斜めに延びる棒体からなる本体６１の下端に側方に延びる支持干６２を固定し、本体６１の上端および支持干６２の先端に脚立の脚への固定具を固定し、さらに、本体６１の下端にはアジャスター６４を設けたものを例示している。
【符号の説明】
【００１７】
Ｘ  リフター
Ｓ  脚立
Ｗ  ワイヤー
１０  レール
１６  係合部
１６ｃ  フック部材
２０  昇降台
２３  フォーク部
３０  ウインチ
３２  係合部
３２ｂ  アングル部材
３４  固定具
３３  手巻きウインチ
４０  補強部材
５０  キャスターユニット
【図１】
2010236175.tif 000003
【図２】
2010236175.tif 000004
【図３】
2010236175.tif 000005
【図４】
2010236175.tif 000006
【図５】
2010236175.tif 000007
【図６】
2010236175.tif 000008
【図７】
2010236175.tif 000009
【図８】
2010236175.tif 000010
【図９】
2010236175.tif 000011